Podtech/llm-jp-corpus-v4-ja_patent huggingface dataset:
(57)【要約】【課題】  入浴を快適にし、簡単に半身浴もできるようにすることが目的である。【解決手段】  本考案は浴槽の縁を利用して、渡し棒１と横棒２にハンモック用ネット３を取り付け、横棒２に繋いだ高さ調整用の吊りベルト４をフック５により渡し棒６に固定し、留め具７で座る高さを調節し、渡し棒６を前後に移動させて好みの姿勢で座ることができるハンモックを浴槽の中に装着することにより、快適な入浴をすることが可能となり、高さの調整により半身浴用としても使用できる。なお、渡し棒１及び渡し棒６は、伸縮可能なパイプとすることにより、浴槽の幅に合わせることも可能である。【選択図】図３
0003121805.tif 000002
【実用新案登録請求の範囲】
【請求項１】
浴槽の中で使用できる大きさのハンモック（ポリエステルによるネット）を作成し、浴槽の縁を利用して、３本の支柱（ヒノキ等の棒の中心にスチール管を通した強化タイプのパイプ又は物干し竿に使用されるような伸縮可能なステンレス製のパイプ）にハンモックを繋ぎとめる。調整ベルトの長さと支柱を前後に移動して、湯の高さと、好みの姿勢がとれるようにする。
以上の如く構成された、半身浴ができる入浴用ハンモック。
【考案の詳細な説明】
【考案の詳細な説明】
この考案は、家庭の浴槽で、簡単に半身浴ができるとともに、ハンモックに身体を乗せて入浴することにより、より深いくつろぎ感が得られるようにするための考案である。
従来、健康法のひとつである半身浴は、高さが２段式となっている特別な浴槽を使用するか、若しくは、通常の浴槽内に適当な高さの椅子を設置する方法が行われてきたが、特別な浴槽はその用途が限定されてしまうこと、また、椅子を設置する方法は、椅子の高さが調節できないこと、さらには、半身浴は２０〜３０分の間、お湯に浸かることが良いとされ、従来のように固定された底部分に座り続けることは必ずしも居心地に優れているものとは言えなかった。
本案はその欠点を除くために考案されたもので、これを図面によって説明すれば、
イ  図１（ａ）のように渡し棒１と横棒２に、ポリエステル製のネット３を取り付け、横棒２の端に取り付けたポリエステル製の高さ調整用の吊りベルト４（図１（ｂ））をフック５により前方の渡し棒６に取り付ける。
ロ  図２のように、入浴する際には、両方のフックを手に持ち、座る動作開始と同時に渡し棒６に取り付けながら座る。
ハ  図３のように、座る位置を湯の高さに合わせるために、事前に吊りベルト４の長さをプラスチック製留め具７（図１（ｂ））で調節し、座った後で、前方の渡し棒６を矢印のように前後に移動させることにより、好みの姿勢をとることができる。
本案は以上のような構造であるから、これを使用するとハンモックでゆったりと揺られながら入浴でき、簡単に半身浴をすることができる。
従来は、浴槽の底面や背面、又は半身浴用椅子の腰掛部など身体と接する部分に固形感があったため、ソファに身を沈めるような柔らかな触感が得られなかったが、ポリエステル製のネットをハンモックとして使用することにより、これまでに存在しなかった安楽な入浴感を得ることができる。また、ハンモックとなるネットの部分は、棒状のパイプに通してあるため、簡単に着脱できるため、干すことが容易であるし、交換用として安価に入手できる。
なお、浴槽の縁に乗せる渡し棒１と渡し棒６は長さの調整ができるパイプを使用することで、浴槽の幅に合わせることができる。また、横棒２と吊りベルト４は、外れ防止のため、マジックテープ８（図１（ｂ））で固定できる。
【図面の簡単な説明】
【図１】本考案の構造
【図２】本考案の使用法
【図３】本考案を浴槽に取り付けた図
【符号の説明】
１・・・背面の渡し棒
２・・・水面下の横棒
３・・・ネット
４・・・吊りベルト
５・・・フック
６・・・前面の渡し棒
７・・・プラスチック製留め具
８・・・マジックテープ
【図１】
0003121805.tif 000003
【図２】
0003121805.tif 000004
【図３】
0003121805.tif 000005
【手続補正書】
【提出日】平成18年2月21日(2006.2.21)
【手続補正１】
【補正対象書類名】実用新案登録請求の範囲
【補正対象項目名】全文
【補正方法】変更
【補正の内容】
【実用新案登録請求の範囲】
【請求項１】
浴槽の中で使用できる大きさのハンモックを作成し、浴槽の縁を利用して、３本の支柱にハンモックを繋ぎとめる。調整ベルトの長さと支柱を前後に移動して、湯の高さと、好みの姿勢がとれるようにする。
以上の如く構成された、半身浴ができる入浴用ハンモック。
(57)【要約】      （修正有）【課題】変電所の配電盤における引出型機器に取付可能な障害物除去装置を提供する。【解決手段】配電盤の開口部に挿入し，主回路との間で運転位置および作業位置の２位置選択が可能な引出型機器の下部に取付可能な障害物除去装置である。引出型機器の下部に，例えば合成繊維製のブラシである障害物除去装置を取り付けることにより障害物を除去する。これにより、引出型機器が運転位置と作業位置の間で止まってしまうことを防止できる。【選択図】図４
0003121835.tif 000002
【実用新案登録請求の範囲】
【請求項１】
配電盤の開口部に挿入し，主回路との間で運転位置および作業位置の２位置選択が可能な引出型機器の下部に取付可能であることを特徴とする障害物除去装置。
【請求項２】
前記障害物除去装置は，合成繊維製のブラシであることを特徴とする請求項１記載の障害物除去装置。
【請求項３】
前記障害物除去装置は，ゴム製の板であることを特徴とする請求項１記載の障害物除去装置。
【考案の詳細な説明】
【技術分野】
【０００１】
本考案は，変電所の配電盤における引出型機器に取付可能な障害物除去装置に関する。
【背景技術】
【０００２】
変電所には，変圧器によって所定の電圧に調整した電力を需要者へ送電するための配電盤を設置している。配電盤は，需要者へ送電する電線の点検・作業等を実施するために送電を遮断する必要があるため，配電盤の開口部に挿入する引出型機器（例えば遮断器）は車輪を有し，送電を行う運転状態（運転位置）と送電を遮断する作業状態（作業位置）とを機械的に切り換え可能となっている。（例えば特許文献１）
【０００３】
【特許文献１】実開平２−６５０１５
【考案の開示】
【考案が解決しようとする課題】
【０００４】
引出型機器を遠隔操作した場合，引出型機器の車輪の下に障害物（例えば小石）が入り込んでしまうと，図２のように引出型機器が運転位置と作業位置の間で止まってしまうため，作業員を変電所へ派遣して障害物を除去する必要があった。
【課題を解決するための手段】
【０００５】
本考案の障害物除去装置は，配電盤の開口部に挿入し，主回路との間で運転位置および作業位置の２位置選択が可能な引出型機器の下部に取付可能であることを特徴とする。
【０００６】
前記障害物除去装置は，例えば合成繊維製のブラシであることを特徴とする。
【０００７】
また，前記障害物除去装置は，例えばゴム製の板であることを特徴とする。
【考案の効果】
【０００８】
本考案によれば，引出型機器の車輪の動線上に障害物があった場合でも，障害物除去装置が障害物を除去するため，引出型機器が運転位置と作業位置の間で止まることがなくなり，作業員を変電所へ派遣することが不要となる。
【考案を実施するための最良の形態】
【０００９】
本発明の障害物除去装置を引出型機器に付加すれば，図４のように障害物を除去することが可能となり，引出型機器が運転位置と作業位置の間で止まってしまうことを防止できる。
【００１０】
障害物除去装置は，例えば合成繊維製のブラシやゴム製の板であるが，他の材質や形状であっても構わない。
【図面の簡単な説明】
【００１１】
【図１】従来の引出型機器を示す図である。
【図２】障害物により停止した従来の引出型機器を示す図である。
【図３】本発明の障害物除去装置を付加した引出型機器を示す図である。
【図４】本発明の障害物除去装置を付加した引出型機器が障害物を除去する様子を示す図である。
【図５】本発明の障害物除去装置を付加した引出型機器を正面から見た図である。
【符号の説明】
【００１２】
１・・・引出型機器，２・・・車輪，３・・・障害物，４・・・障害物除去装置
【図１】
0003121835.tif 000003
【図２】
0003121835.tif 000004
【図３】
0003121835.tif 000005
【図４】
0003121835.tif 000006
【図５】
0003121835.tif 000007
【手続補正書】
【提出日】平成18年3月20日(2006.3.20)
【手続補正１】
【補正対象書類名】実用新案登録請求の範囲
【補正対象項目名】全文
【補正方法】変更
【補正の内容】
【実用新案登録請求の範囲】
【請求項１】
配電盤の開口部に挿入し，主回路との間で運転位置および作業位置の２位置選択が可能な引出型機器の下部に取付可能な取付部と排障器部を有することを特徴とする障害物除去装置。
【請求項２】
前記排障器部は，合成繊維製のブラシであることを特徴とする請求項１記載の障害物除去装置。
【請求項３】
前記排障器部は，ゴム製の板であることを特徴とする請求項１記載の障害物除去装置。
【手続補正２】
【補正対象書類名】明細書
【補正対象項目名】０００５
【補正方法】変更
【補正の内容】
【０００５】
本考案の障害物除去装置は，配電盤の開口部に挿入し，主回路との間で運転位置および作業位置の２位置選択が可能な引出型機器の下部に取付可能な取付部と排障器部を有することを特徴とする。
【手続補正３】
【補正対象書類名】明細書
【補正対象項目名】０００６
【補正方法】変更
【補正の内容】
【０００６】
前記排障器部は，合成繊維製のブラシであることを特徴とする。
【手続補正４】
【補正対象書類名】明細書
【補正対象項目名】０００７
【補正方法】変更
【補正の内容】
【０００７】
前記排障器部は，ゴム製の板であることを特徴とする。
【手続補正５】
【補正対象書類名】明細書
【補正対象項目名】００１０
【補正方法】変更
【補正の内容】
【００１０】
排障器部は，例えば合成繊維製のブラシやゴム製の板であるが，他の材質や形状であっても構わない。
(57)【要約】      （修正有）【課題】マフラーと左右の手袋のいずれかを紛失したりわすれたりすることを防止でき、持ち歩きに便利である上に着脱が容易であって手袋が、両端に着いたマフラーとしてそのまま首に巻いた際にも手袋の重さでマフラーがほどけにくく、また、その姿は楽しく面白い為、さまざまなデザインの可能性が広がるマフラーを提供する。【解決手段】平面のマフラーの両端部分をセーターの袖口状に丸めて、左右の手袋の手首部分とボタン（ファスナー、スナップ等）を使って着脱式にし、マフラーを袖状に丸めた事で、ずり落ちずに肩掛けとしても着用できる。【選択図】図１
0003121839.tif 000002
【実用新案登録請求の範囲】
【請求項１】
両端をセーターの袖口状に丸めて留めることの可能なマフラーと、そのマフラーの両端に着脱可能に取り付けられる左右の手袋とを備えた手袋付きマフラー。
【考案の詳細な説明】
【技術分野】
【０００１】本考案は、着脱可能な手袋付きマフラーに関する。
【背景技術】
【０００２】従来の手袋とマフラーは別々に持ち運びされ、別々に使用されていた。
【考案の開示】
【考案が解決しようとする課題】
【０００３】一般にマフラーと手袋は一緒に使用されることが多いにもかかわらず、マフラーと両手袋の３点を別々に所持する事は煩雑で、外出時にいずれかを紛失するなど問題があった。また、従来のマフラーは平面でしかないため、首に巻く着用しかできなかった。
【課題を解決するための手段】
【０００４】そこで、平面のマフラーの両端部分をセーターの袖口状に丸め、両手袋の手首部分に着脱を可能にする具材（ボタン、マジックテープ、スナップ、ホック、ファスナー、リボン、ひも、布地、編地等）により着脱させる、手袋つきマフラーを考案した。この考案により手袋、マフラーを一体化させて紛失を防止できるのみならず、次項目に揚げる効果も得るにいたった。
【考案の効果】
【０００５】１．マフラーと左右の手袋のいずれかを紛失したり忘れたりすることを防止でき、持ち歩きに便利である上に着脱が容易である。
２．着脱可能にする為に使用できる具材が多種あり、例としてマジックテープは子供にとって取り扱いが簡単で安価に容易に加工する事が出来る。また、若者向けにはファスナー、ジッパー等でスポーティーにも着用できる。婦人向きにはさまざまなボタンを使用し、毛糸編みの編目をボタンホールとして利用する事も出来るなど、ファッション性、デザイン性のみならず、加工の容易で安価な点で実用性に大変優れている。
３．手袋が、両端に着いたマフラーとしてそのまま首に巻いた際にも手袋の重さでマフラーがほどけにくく、また、その姿は楽しく面白い為、さまざまなデザインの可能性が広がる。
４．マフラーは手袋を取り外して着用する場合も平面のままでも勿論であるが、両端を袖口上に留める事も可能である為に、従来は首に巻くか結ぶしかなかったものが、マフラーの長さと幅のデザインによってはセーターの袖風の肩掛けストールとして多様に変化させることが可能である。
【考案を実施するための最良の形態】
【０００６】本考案にかかる着脱可能な手袋つきマフラーは図１に示すように１の元来平面であるマフラーを袖口状に丸めて２の手袋の手首部分に着脱可能な具材（ボタン、マジックテープ、スナップ、ホック、ファスナー、リボン、ひも、布地、編地等）により、３のように着脱式にする（但し、マフラーと手袋の結合部分は手袋が外側になる場合とジッパー等により並行に結合させる場合も含む。）
また、図２に示すとおり、１のマフラーを手首内側で袖口状に丸めて留める事により肩掛けストールとしてセーターの腕部分のような着用も可能とさせる。
【図面の簡単な説明】
【０００７】
【図１】マフラーと手袋の取り付け方法を示した図である。
【図２】マフラーに手袋を取り付けたままで肩掛け着用した図である。
【符号の説明】
【０００８】１  両端部分をセーターの袖口状に丸めたマフラー
２  手袋
３  ボタン等により手袋の手首部分と丸めたマフラー端の着脱ができる
【図１】
0003121839.tif 000003
【図２】
0003121839.tif 000004
(57)【要約】      （修正有）【課題】散歩、病院の途中でスーパーに寄り買い物が楽に出来る、ペット用買い物籠付手押しカートを提供する。【解決手段】ペット用籠、鞄を収容する収容箱と前輪キャスター１個又は２個と後輪２個で移動し、１ａハンドル左支持フレームと２ｂハンドル右支持フレームの上部８，９に湾曲を有する１０鉄板又は鉄パイプを取り付け、２支持フレームに買い物籠を置き支持ブラケットで１１側面、１２底面をボトル、ナット等の止め具を用いて或いは溶接などにより買い物籠を取り付け固定する。【選択図】図１
0003121891.tif 000002
【実用新案登録請求の範囲】
【請求項１】
１ａハンドル左支持フレームと１ｂハンドル右支持フレームの上部に買い物籠を取り付け固定したことを特徴とするペット用買い物籠付手押しカート
【請求項２】
ペット用散歩手押しカートの１ａハンドル左支持フレーム、１ｂハンドル右支持フレームの８，９に一本の湾曲を有する１０鉄板又は鉄パイプを取り付け買い物籠の側面を１１支持ブラケットで固定し、２支持フレームに買い物籠を載せ籠の１３底面を１２支持ブラケットで固定することでハンドルの上部に買い物籠を取り付けることを特徴とした請求項１のペット用買い物籠付き手押しカート。
【考案の詳細な説明】
【技術分野】
【０００１】  本考案はペット運搬するために用いる鞄、籠収納箱を備え、ハンドルの上方部前に買い物籠を取り付けることで散歩の途中で買い物が楽に出来るペット用買い物籠付き手押しカート。
【背景技術】
【０００２】ペット用散歩手押しカートは市販されているが買い物籠が取り付けてあるものがなく、ペット手押しカートで散歩に行き、途中のスーパーで買い物をするときは片手に散歩手押し車をひきながらもう片方の手に買い物籠をもたなければならず不便なことから散歩と買い物は別々にしていた。
【考案の開示】
【考案が解決しようとする課題】
【０００３】散歩、病院の途中でスーパーに寄り買い物が楽に出来る、ペット用買い物籠付手押しカートを提供する。
【課題を解決するための手段】
【０００４】ペット用籠、鞄を収容する収容箱と前輪キャスター１個又は２個と後輪２個で移動し、１ａハンドル左支持フレームと２ｂハンドル右支持フレームの上部８，９に湾曲を有する１０鉄板又は鉄パイプを取り付け、２支持フレームに買い物籠を置き支持ブラケットで１１側面、１２底面をボトル、ナット等の止め具を用いて或いは溶接などにより買い物籠を取り付け固定する。
【考案の効果】
【０００５】この考案は極めて簡単な構成で、ハンドルの上部に籠を取り付けたことで、散歩の途中で買い物をしても手荷物にならず楽に散歩と買い物が楽しめる。
【考案を実施するための最良の形態】
【０００６】以下図面を参照しながら実施の形態について説明する。
図１、図２は収納箱にペット用籠、鞄を収納したペット用買い物籠付手押しカートの斜視図である。ペット用鞄、籠は市販されているものを使用するので、収納箱の大きさは市販されたペット用籠、鞄に合わせた大きさとしておく。【０００７】図３は買い物籠と収納箱を取り外したペット用買い物籠付手押しカートの斜視図である。【０００８】４図は買い物籠の側面と１０の湾曲を有する鉄板又は鉄パイプに支持ブラケットで籠を固定した詳細図である。【０００９】５図は買い物籠の１３底面を２支持フレーム乗せ支持ブラケットで籠の底を固定した詳細図である。【００１０】６図は１ａハンドル左支持フレームと２支持フレームの１４接合部をナット、ボトルなどの留め具で固定した詳細図である。【００１１】７図は１ａハンドル左支持フレームと１ｂハンドル右支持フレームの上部８、９に湾曲を有する１０鉄板又は鉄パイプを取り付け、図６に示すように２支持フレームに買い物籠を置き支持ブラケットで１２底面、１１側面を図４、図５に示すようにボトル、ナット等の止め具を用いて或いは溶接などにより取り付け固定する。
【図面の簡単な説明】
【００１２】
【図１】買い物籠付ペット用籠の収容された手押しカートの全体の斜視図。
【図２】買い物籠付ペット用鞄の収容された手押しカートの全体の斜視図。
【図３】買い物籠、収納箱を取り外した手押しカートの全体の斜視図。
【図４】買い物籠の側面を固定した詳細図
【図５】買い物籠の底面を固定した詳細図
【図６】ハンドルと支持フレームの接合部の詳細図
【図７】買い物籠を取り付けるための骨組みの詳細図
【符号の説明】
【００１３】１    ハンドル
１ａ  ハンドル左支持フレーム
１ｂ  ハンドル右支持フレーム
２    支持フレーム
３    買い物籠
４    後輪
５    前輪
６    ペット用籠、鞄
７    収納箱
８    ハンドルと湾曲を有する鉄板又は鉄パイプの接合部（左）
９    ハンドルと湾曲を有する鉄板又は鉄パイプの接合部（右）
１０  湾曲を有する鉄板又は鉄パイプ
１１  側面支持ブラケット
１２  底面支持ブラケット
１３  籠底
１４  ハンドルと支持フレームの接合部
【図１】
0003121891.tif 000003
【図２】
0003121891.tif 000004
【図３】
0003121891.tif 000005
【図４】
0003121891.tif 000006
【図５】
0003121891.tif 000007
【図６】
0003121891.tif 000008
【図７】
0003121891.tif 000009
(57)【要約】【課題】網焼きも串焼きも鍋料理もできる陶製卓上炭火焼き鉢（コンロ）を提供する。【解決手段】（イ）陶製鉢１の上部開口部縁の内側に段差２を周状に設ける。（ロ）段差２の下付近に串３を通す孔４を複数設ける。（ハ）串３を入れる孔４の入口は、串３を出す孔４の出口より上にする。（ニ）孔４の下付近に鍋７を支えるあご５を、陶製鉢１の内側に複数設ける。【選択図】図１
0003121892.tif 000002
【実用新案登録請求の範囲】
【請求項１】
（イ）陶製鉢１の上部開口部縁の内側に段差２を周状に設ける。
（ロ）段差２の下付近に串３を通す孔４を複数設ける。
（ハ）串３を入れる孔４の入口は、串３を出す孔４の出口より上にする。
（ニ）孔４の下付近に鍋７を支えるあご５を、陶製鉢１の内側に複数設ける。
以上のごとく構成された、網焼きも串焼きも鍋料理もできる陶製卓上炭火焼き鉢。
【考案の詳細な説明】
【技術分野】
【０００１】  この考案は、網焼きも串焼きも鍋料理もできる陶製卓上炭火焼き鉢（コンロ）に関するものである。
【背景技術】
【０００２】  従来の卓上炭火コンロは網焼きが主流である。
【考案の開示】
【考案が解決しようとする課題】
【０００３】  従来の卓上炭火コンロでは、金網を用いて肉や魚や野菜などを焼くことが主流であり、串焼きを行なうには、コンロの中に串を刺すことのできる量の灰がなくてはならなかった。
さらに、鍋料理を行なう場合、コンロを変えなければならなかった。
本考案は、これらの欠点を解決するためになされたものである。
【課題を解決するための手段】
【０００４】  本考案は、図１，２で示すように、
（イ）陶製鉢１の上部開口部縁の内側に段差２を周状に設ける。
（ロ）段差２の下付近に串３を通す孔４を複数設ける。
（ハ）串３を入れる孔４の入口は、串３を出す孔４の出口より上にする。
（ニ）孔４の下付近に鍋７を支えるあご５を、陶製鉢１の内側に複数設ける。
本考案は、以上のごとく構成された、網焼きも串焼きも鍋料理もできる陶製卓上炭火焼き鉢（コンロ）である。
【考案の効果】
【０００５】  本考案により次の効果を生む。
１：段差２に金網６を載せれば網焼きができる。
２：孔４に串３を入れれば串焼きができる。
３：あご５に鍋７を置けば鍋料理ができる。
４：串３の先に肉などを刺して串焼きする場合、串３を孔４に通すと、串３が孔４内で傾き、串３が孔４の入口と出口でそれぞれ孔４と接することになり、串３は孔４内で安定することになる。
このため、陶製鉢１の中に串３を刺すための灰が必要なくなる。
５：図示しないが、孔４の出口から出る串３の長さを調節することによって、串３の先に刺した肉などと炭火との距離を調整できる。つまり、火加減を調整できて好みの焼き方が得られる。
６：陶製鉢１の中に灰が必要ないので、陶製鉢１の管理が容易になる。
【考案を実施するための最良の形態】
【０００６】  以下、本考案を実施するための最良の形態を説明する。
本考案は、図１、２で示すように、次の構成からなっている。
（イ）陶製鉢１の上部開口部縁の内側に段差２を周状に設ける。
（ロ）段差２の下付近に串３を通す孔４を複数設ける。
（ハ）串３を入れる孔４の入口は、串３を出す孔４の出口より上にする。
（ニ）孔４の下付近に鍋７を支えるあご５を、陶製鉢１の内側に複数設ける。【０００７】  （イ）の「陶製鉢１の上部開口部縁の内側に段差２を周状に設ける。」について説明する。
この段差２は、金網６を載せるために設けるものである。この段差２の代わりに、陶製鉢１の上部開口部縁の内側にあご５（図示しない）を複数設けてもよい。【０００８】  （ロ）の「段差２の下付近に串３を通す孔４を複数設ける。」について説明する。
孔４の内径は串３の太さより大きくする。
串３を通す孔４を段差２の下付近に設けるのは、串３の先に刺した肉などがよく焼けるようにするためである。
孔４を設ける数は、陶製鉢１の大きさによって異なる。【０００９】  （ハ）の「串３を入れる孔４の入口は、串３を出す孔４の出口より上にする。」について説明する。
これは、［考案の効果］［０００５］でも説明したように、串３の先に肉などを刺して串焼きする場合、串３を孔４に通すと、串３が孔４内で傾き、串３が孔４の入口と出口でそれぞれ孔４と接することになり、串３は孔４内で安定することになるからである。【００１０】  （ニ）の「孔４の下付近に鍋７を支えるあご５を、陶製鉢１の内側に複数設ける。」について説明する。
このあご５は、鍋７を置くために設けるものである。
【使用例】
【００１１】  本考案は、次のように使用する。（図１、２参照）
１：網焼きにするときは、金網６を段差２に置く。
２：串焼きにするときは、金網６を段差２から外し、串３を孔４に陶製鉢１の内側から通すか、金網６はそのままにして、金網６の網目から串３を孔４に通す。炭火の火加減を見ながら、孔４の出口から出る串３の長さを調節する。肉６などが焼けたら、孔４から串３を抜き取る。
３：鍋料理をするときは、金網６を段差２から外し、孔４から串３を抜き取り、鍋７をあご５に載せる。
【図面の簡単な説明】
【００２１】
【図１】〔図２〕は、本考案の実施例を示す側面図である。
【符号の説明】
【００３１】１陶製鉢    ２段差    ３串    ４孔    ５あご    ６金網    ７鍋
１１牛肉    １２鶏肉    １３炭    １４炭置き台    １５開閉式空気穴
【図１】
0003121892.tif 000003
【図２】
0003121892.tif 000004
(57)【要約】【課題】  夏みかん等の皮むきと房切りと種取りができる変形刺股（さすまた）状のヘラを提供する。【解決手段】（イ）柄２の先部に房切り部３と皮割き部４を設ける。（ロ）房切り部３の皮割き部４に面する位置に刃６を設ける。（ハ）皮割き部４は柱状で外側に緩いカーブ状になっていて、先端に種取り部５を設ける。（ニ）房切り部３は皮割き部４より丈が短い。【選択図】図１
0003121899.tif 000002
【実用新案登録請求の範囲】
【請求項１】
（イ）柄２の先部に房切り部３と皮割き部４を設ける。（ロ）房切り部３の皮割き部４に面する位置に刃６を設ける。（ハ）皮割き部４は柱状で外側に緩いカーブ状になっていて、先端に種取り部５を設ける。（ニ）房切り部３は皮割き部４より丈が短い。  以上のごとく構成された、夏みかん等の皮むきと房切りと種取りができる変形刺股状のヘラ１。
【考案の詳細な説明】
【技術分野】
【０００１】  この考案は、夏みかん等の皮むきと房切りと種取りができる変形刺股（さすまた）状のヘラに関するものである。
【背景技術】
【０００２】  夏みかん等の房（中袋）切りフォークのアイデアの中に、特許出願２００４−２４０１５３（特許公開２００６−３４９１３）がある。  以後、房（中袋）は単に房という。
【考案の開示】
【考案が解決しようとする課題】
【０００３】  このアイデアには次のような欠点がある。１：先端部で種を取ることもできるが、房切りが主な利用である。２：先端部が手や指などに刺さり易い。  本考案は、これらの欠点を解決するためになされたものである。
【課題を解決するための手段】
【０００４】  図１で示すように、（イ）柄２の先部に房切り部３と皮割き部４を設ける。（ロ）房切り部３の皮割き部４に面する位置に刃６を設ける。（ハ）皮割き部４は柱状で外側に緩いカーブ状になっていて、先端に種取り部５を設ける。（ニ）房切り部３は皮割き部４より丈が短い。  本考案は、以上のごとく構成された、夏みかん等の皮むきと房切りと種取りができる変形刺股（さすまた）状のヘラ１である。
【考案の効果】
【０００５】  本考案により次の効果を生む。１：房切り部３と皮割き部４と種取り部５がはっきり区別されていて使い易い。２：皮割き部４と種取り部５が、房切り部３をガードする働きをなすので、房切り部３の先端部や刃６が手などを傷つけにくい。
【考案を実施するための最良の形態】
【０００６】  以下、本考案を実施するための最良の形態を説明する。  図１で示すように、（イ）柄２の先部に房切り部３と皮割き部４を設ける。（ロ）房切り部３の皮割き部４に面する位置に刃６を設ける。（ハ）皮割き部４は柱状で外側に緩いカーブ状になっていて、先端に種取り部５を設ける。（ニ）房切り部３は皮割き部４より丈が短い。  本考案は以上の構成よりなっている。それを次に詳しく説明する。【０００７】  （イ）の「柄２の先部に房切り部３と皮割き部４を設ける。」を説明する。  柄２と房切り部３と皮割き部４をそれぞれ分離して、それぞれ異なる材質で造ってもよいが、コスト面で問題がある。そのために、柄２と房切り部３と皮割き部４は金属製で一体にして、材質は酸に強いステンレスが望ましい。【０００８】  （ロ）の「房切り部３の皮割き部４に面する位置に刃６を設ける。」を説明する。  房切り部３と皮割き部４の間には隙間７があり離れている。この隙間７は、夏みかん等の皮１１が入るのと房１２の皮が入る役目がある。この隙間７の幅は、夏みかん等の皮１１の厚さよりやや小さくすると、夏みかん等の皮１１が、この隙間７にきつく入り、刃６によって夏みかん等の皮１１の表面を切り裂くので、夏みかん等の皮１１がむき易くなる。【０００９】  房切り部３の先端部は鋭利にし、房１２に容易に刺さるようにする。そして、房切り部３の先端部を房１２に突き刺した後は、房切り部３の皮割き部４に面する位置に設けた刃６で、房１２の尾根部１４を切り開いていく。そのため、内側に刃６を設ける。刃は房１２を切るためのものであるから、小さい刃で十分である。小さい刃であれば手や指を傷つけにくい。【００１０】  （ハ）の「皮割き部４は柱状で外側に緩いカーブ状になっていて、先端に種取り部５を設ける。」を説明する。  皮割き部４の先端は、種を取ることと、夏みかん等の皮１１に割り込めればよいので、錐や釘の先のように鋭利でなくてよい。細い柱状の形状でもその目的は果たせる。  外側に緩いカーブ状にするのは、夏みかん等の皮１１が丸みを帯びているからで、皮割き部４で夏みかん等の皮１１を割くときに、皮割き部４が房１３の底部を滑らかに進み易くするためである。皮割き部４は、夏みかん等の皮１１を割ければよいので、刃でなくてよい。細い柱状の形状でもその目的は果たせる。【００１１】  （ニ）の「房切り部３は皮割き部４より丈が短い。」を説明する。  房切り部３を皮割き部４より丈を短くするのは、安全の面である。皮割き部４と種取り部５が、房切り部３をガードする働きをなすので、房切り部３の先端部や刃６が手などを傷つけにくくなるからである。
【使用例】
【００１２】  本考案は、次のように使用する。（図３，４参照）（イ）：夏みかん等の皮１１をむくときの手順。（図３参照）１：夏みかん等をひっくり返して、底を上にする。２：皮割き部４の先端を底の中央の皮１１に割り込ませる。３：皮割き部４を夏みかんの頭部方向に進ませて、夏みかん等の皮１１を割いていく。このとき、皮割き部４を房１３の底部を滑らせるようにする。こうすると、夏みかん等の皮１１に１つの割れ込みが生じる。４：このような割れ込みを数ヶ所設けることによって、指をあまり汚すことなく、夏みかん等の皮１１をむくことができる。
【００１３】（ロ）：房１２を切るときの手順。（図４参照）１：房切り部３の先端部を房１２の尾根部１４の端部に刺す。２：刃６で、房１２の尾根部１４を切り開いていく。
【００１４】（ハ）：種を取るときの手順。（図示しない）  房１２を手でむいた後、種取り部５で実の中にある種をかっぱいて取る。
【図面の簡単な説明】
【００２０】
【図１】は、本考案の正面図である。
【図２】は、本考案の右側面図である。
【図３】は、本考案の使用例を示す正面図である。
【図４】は、本考案の使用例を示す正面図である。
【符号の説明】
【００３０】１ヘラ    ２柄    ３房切り部    ４皮割き部    ５種取り部    ６刃    ７隙間１１夏みかん等の皮    １２房    １３房    １４尾根部
【図１】
0003121899.tif 000003
【図２】
0003121899.tif 000004
【図３】
0003121899.tif 000005
【図４】
0003121899.tif 000006
(57)【要約】【課題】図書館で貸し出される書籍に電子タグを貼り付けることで、貸出管理業務を効率的に行うことを可能とする。【解決手段】図書館で貸し出される書籍において、電子タグを貸出カードが差し込まれるポケット部に貼り付けることで、貸出カードから電子タグを利用した貸出管理システムに移行する過渡期においても、貸出し業務に従事するものが、特に意識することなく書籍の貸出し業務を行うことができる。【選択図】図３
0003121896.tif 000002
【実用新案登録請求の範囲】
【請求項１】
図書館において貸出される書籍であって、前記書籍のいずれか一方の表紙の裏面に、  該書籍の貸出し状況を記入する貸出カードを差し込むポケット部を備え、前記ポケット部に電子タグが装着されたことを特徴とする電子タグ付き書籍。
【請求項２】
前記電子タグには、前記書籍を特定する識別情報が書きこまれていることを特徴とする電子タグ付き書籍。
【考案の詳細な説明】
【技術分野】
【０００１】
本件考案は、図書館で貸出される書籍に関するものである。
【背景技術】
【０００２】
従来、図書館では、書籍の貸出状況を管理するために、書籍毎に貸出カードを作成し、書籍の利用者、貸出日、返却予定日、返却日等を記入している。
【０００３】
また、図書館におけるデータ処理システムの導入とともに、窓口業務である書籍の貸出および返却の処理に関しても、書籍の貸出、返却を管理するために、書籍の表面あるいは表紙の裏面に書籍識別のために貼付けられたバーコードや電子タグを、図書館の窓口に設置された貸出管理用のコンピュータシステムによって読み取り、図書の貸出しあるいは返却の処理を行うことも行なわれている。
【特許文献１】特開２００３−０８５３２９号公報
【考案の開示】
【考案が解決しようとする課題】
【０００４】
しかし、バーコードや電子タグによって書籍を管理する場合においても、図書館の書籍全てにバーコードや電子タグを貼り付けることが費用面で難しく、古くから管理している書籍や利用頻度の少ない書籍は、従来の貸出カードを利用し、最新刊や利用頻度の高い書籍にはとバーコードや電子タグを併用する形で、徐々にバーコードや電子タグを利用したシステムに移行することも考えられる。
【０００５】
この場合、貸出カードとバーコードや電子タグを利用する場合の２通りの書籍管理方法が並存した場合には、図書館で作業する者にとっては混乱の原因となりうる。
【０００６】
この考案は、上記事情に鑑みてなされたもので、電子タグを利用したシステムへ移行する過程において、２通りの管理方法をとった場合でも、図書館で書籍の貸出業務を行う者が効率よく書籍の貸出業務を行えるようにすることを目的とする。
【課題を解決するための手段】
【０００７】
請求項１記載の書籍は、いずれか一方の表紙の裏面に、該書籍の貸出し状況を記入する貸出カードを差し込むポケット部を備え、前記ポケット部に電子タグが装着された書籍である。
【０００８】
請求項２記載の書籍は、前記電子タグには、前記書籍を特定する識別情報が書き込まれていることを特徴とする書籍である。
【０００９】
よって、図書館で貸出業務を行う者は、いずれの管理方法を採る場合においても、書籍のポケット部を確認すればよく、ポケット部に貸出カードが差し込まれていれば貸出カードにより書籍を貸出し、ポケット部に電子タグが貼り付けられていれば、電子タグを利用して書籍を貸し出せばよい。
【００１０】
さらに詳しくは、図書館で貸出業務を行う者は、貸出カードを利用して書籍を貸し出す時はポケット部より貸出カードを取り出し、利用者名、貸出日、返却予定日等を記入する。一方、電子タグが貼り付けられた書籍を貸し出す場合には、貸出管理用コンピュータシステムと連動している電子タグリーダーにより、電子タグの識別情報を読み取り、コンピュータシステムに対し、別途、利用者名、貸出日、返却予定日等を入力することで貸出管理が可能となる。
【考案の効果】
【００１１】
本考案によれば、電子タグを貸出カードが差し込まれるポケット部に貼り付けることで、貸出カードから電子タグを利用した貸出管理システムに移行する過渡期においても、貸出し業務に従事するものが、特に意識することなく書籍の貸出し業務を行うことができる。
【実施例】
【００１２】
図１に記載の電子タグはＵＨＦ帯に対応する電子タグ１０１であり、アンテナ部１０２とＩＣチップ１０３とから構成されている。
【００１３】
図２に、ポケット部２０２に貸出カード２０３を差し込んである状態の図を示す。本図においては、表紙の裏面２０１にポケット部２０２を備えている。ポケット部２０２は上部が開口されており、貸出カード２０３を差し込むことが可能となっている。
【００１４】
図３に、ポケット部３０２に電子タグ１０１を貼り付けてある状態の図を示す。本図においてはポケット部３０２の表面に電子タグ１０１を貼り付けたが、ポケット部３０２の内側であっても構わない。
【００１５】
なお、ＵＨＦ帯に対応する電子タグを用いて説明したが、これに限定するものではなく、１３．５６ＭＨｚに対応する電子タグであっても構わない。
【図面の簡単な説明】
【００１６】
【図１】電子タグの正面図である。
【図２】書籍のポケット部に貸出カードが差し込まれた状態である。
【図３】書籍のポケット部に電子タグが貼り付けられた図である。
【符号の説明】
【００１７】
１０１−電子タグ
１０２−アンテナ
１０３−ＩＣチップ
２０１−表紙裏面
２０２−ポケット
２０３−貸出カード
３０３−電子タグ
【図１】
0003121896.tif 000003
【図２】
0003121896.tif 000004
【図３】
0003121896.tif 000005
【手続補正書】
【提出日】平成18年3月29日(2006.3.29)
【手続補正１】
【補正対象書類名】実用新案登録請求の範囲
【補正対象項目名】請求項２
【補正方法】変更
【補正の内容】
【請求項２】
前記電子タグには、前記書籍を特定する識別情報が書きこまれていることを特徴とする請求項１に記載の電子タグ付き書籍。
(57)【要約】【課題】  植栽等が繁茂するところで、剪定作業に用いる３本足のはしごの搬入、設営を容易にする。【解決の手段】支持役の１本の足を取り外し可能にする。【選択図】図４
0003121880.tif 000002
【実用新案登録請求の範囲】
【請求項１】
３本足のはしごのステップを支える役の１本の足を取り外し可能にしたはしご。
【考案の詳細な説明】
【技術分野】
【０００１】  本考案は、植栽等の込み入ったところで剪定等の作業に用いる３本足のはしごの使用範囲を広げる道具に関する。
【背景技術】
【０００２】  従来の３本足のはしごは、３本のうちの２本でステップを施し、残りの１本の足は、その先端をステップの上端にて自在に動くように蝶番等で連結し、ステップのはしごに傾斜をもたせるようにして支持する役を持たせたものである。
【考案の解決しようとする課題】
【０００３】  しかし、この１本の支持役の足は、製造の段階で取外しができないものであるために、植栽等の繁茂する中に設営するときに、この支持役の１本の足が設営を困難にしている。
【課題を解決する手段】
【０００４】  そこで、支持役の１本の足を取り外し容易なように製造の段階で作ることによって、ステップのはしごの方を設営の場所に運び立てかけたところで、支持役の１本の足のみを持ってその場に入り、ステップのはしごの上端部に施した連結部に、支持役の足の上端部を差し込むことで、３本足のはしごでは搬入できなかったところに容易に設営できる。
【考案の効果】
【０００５】  よって、植栽等の繁茂した中に、三本足のままで搬入し、植栽が邪魔をして、支持役の足を広げることが困難であった選定等の作業が、ステップの部分と、支持役の１本の足の部分を別々に搬入、組み立てることで、容易な作業に変わる。
【考案を実施するための最良の形態】
【０００６】  本考案による３本足のはしごは、ステップの役をするはしごの上端部の中央に蝶番等で自在に回転できる長さ約３０センチメートル、直径約５センチメートルのパイプを連結用として施す。
このパイプの他端は、支持役をする１本の足の上端部が容易に差し込めるように、内径の直径が、上記の１本足の外径より、口元から約５センチメートルあたりまでラッパ状に広がっており、その奥は、支持役の先端部に施されたスパイラルと、堅固に連結するようにスパイラルが施されている。
【図面の簡単な説明】
【０００７】
【図１】ステップの上端部に蝶番当で取り付けた連結用のパイプである。
【図２】そのパイプのたて断面図である
【図３】長手方向の中間部を省略した支持役の１本の足である。
【図４】本考案によるはしごの組み立て設営図。
【符号の説明】
１：支持役の１本の足と連結するステップ５のの上端部に設ける連結用のパイプ
２：支持役の足を用意に連結させるためのパイプ１の口元
３：支持役の足を堅固に連結させるために施されたパイプ１の内面のスパイラル
４：パイプ１と堅固に連結させるため支持役の足の上端部に施されたスパイラル
【図１】
0003121880.tif 000003
【図２】
0003121880.tif 000004
【図３】
0003121880.tif 000005
【図４】
0003121880.tif 000006
(57)【要約】【課題】  食品の保存管理時に使用する食品保存容器の側面又は上面に接着し食品の安心安全の為の判断の基準にする軟質性粘着樹脂を接着した食品保存管理器具を提供する。【解決手段】  外周に日付け目盛りを設け、支軸に指針を設け、裏面に軟質性粘着樹脂を接着し、日付けを記録する事を特徴とする食品保存管理器具。【選択図】図１
0003121872.tif 000002
【実用新案登録請求の範囲】
【請求項１】
外周に日付け目盛りを設け、支軸に日付けを指す指針を設けて、回転させることにより月日付けを指し記録ができて、食品を入れた保存容器に容易に着脱が自在に可能にした軟質性粘着樹脂を接着したことを特徴とした食品保存管理器具。
【考案の詳細な説明】
【技術分野】
【０００１】  本考案は、食品保存容器又はガラス容器に着脱が容易に且つ自在に出来て、日付けにより食品の保存管理を目的した、軟質性粘着樹脂を接着した食品保存管理器具に関するものである。
【背景技術】
【０００２】  従来、食品保存容器に日付け機能が、極々一部に有り又登録実用新案公報（登録番号第３００８５８２号）が登録で有る。公知の吸着盤で接着とあるが、冷凍冷蔵での使用時に取れる恐れがあり不安が残る等で一般に普及した器具は無く不安な状態で使用していた。
【考案の開示】
【考案が解決しようとする課題】
【０００３】  そのために、次のような問題点があった。
食品の保存管理の為の日付け読み取り器具が無く食中毒事故や腐敗させたりして廃棄処分をして無駄にしていた。
本考案は以上の問題点を解決しようとするものである。
【課題を解決するための手段】
【０００４】  外周に日付け目盛りを設け、支軸に指針を設ける。そして裏側に軟質性粘着樹脂を接着し、食品保存容器に着脱が容易に且つ自在に可能とした。以上を特徴とする食品保存管理器具である。
【考案の効果】
【０００５】  本考案は、食品保存容器類に容易に着脱が自在にできて日付け記録ができ又食品の安心安全に保存管理も出来て、食中毒事故や腐敗廃棄処分問題が解消出来る。
【考案を実施するための最良の形態】
【０００６】  以下、本考案の実施の形態を説明する。図１〜４は第一実施例を示す
（イ）食品保存管理器具（１）の表面に、日付け目盛り（２）を設ける。
（ロ）日付け目盛り（２）の、中央に取り付け穴（３）を設けた。
（ハ）取り付け穴（３）に支軸（４）を差し込み取り付ける。
（ニ）支軸（４）に、指針長短（５）を取り付ける。
（ホ）食品保存管理器具（１）の裏面に、軟質性粘着樹脂（６）を接着する。
本案は、以上の構成よりなっている。これを使用するときは、上記の食品保存管理器具を押し付け接着する。
食品保存容器（７）に、食品を入れて保存管理をする時に食品保存管理器具（１）を片手に持ち、もう一方の手で指針長短（５）を指先（９）で押し回して日付け目盛り（２）に合せ、指針長（５）を日付け、指針短（５）を月で指し日付け目盛り（２）の数字で読み取りを記録する。食品保存容器（７）の上面又は側面に軟質性粘着樹脂（６）面を押し当て接着する。この結果、食品の保管管理の目安が日付けで判断出来て安心安全に食する事ができる。【０００７】図５〜６は第二実施例を示す。この第二実施例に示した器具は、前記第一実施例の変形例である。公知の吸着盤（８）の片面に日付け目盛り（２）を設けて、支軸（４）に指針長短（５）を差し込む。反対面に軟質性粘着樹脂（６）を接着する。（以下の実施例の説明では図３、図４と同じのため省略する）
【図面の簡単な説明】
【０００８】
【図１】本考案の第一実施例の全体斜視図
【図２】同要部分解斜視図
【図３】同使用状態を示す斜視図
【図４】同設置を示す斜視図
【図５】同第二実施例の全体斜視図
【図６】同要部分解斜視図
【符号の説明】
【０００９】    １  食品保存管理器具
２  日付け目盛り
３  取り付け穴
４  支軸
５  指針長短
６  軟質性粘着樹脂
７  食品保存容器
８  吸着盤
９  指先
【図１】
0003121872.tif 000003
【図２】
0003121872.tif 000004
【図３】
0003121872.tif 000005
【図４】
0003121872.tif 000006
【図５】
0003121872.tif 000007
【図６】
0003121872.tif 000008
(57)【要約】【課題】  本考案の課題は、目盛の数値の読み取りをすることなく、数の概念に乏しい障害者でも簡単に計量作業ができる計量器を提供することである。【解決手段】  アナログ量りに、目盛を指し示す通常の針の他に計量の目安となる補助針を設ける。使用する際には、一旦介助者が目安となる青色の補助針を計量すべき重さの数値まで調節して設定する。実際の計量作業は、通常の赤色の針と補助針の二つの針が重なり合うところで計量の完了とする。【選択図】図１
0003121877.tif 000002
【実用新案登録請求の範囲】
【請求項１】
通常のアナログ計量器に、一定の重さを計量するため、手動で任意の重さの値の位置に設定できる補助針を設けたことを特徴とする計量用補助針付計量器。
【考案の詳細な説明】
【技術分野】
【０００１】  本考案は数値によって重さを識別できない障害者や子ども、また家庭においても計量が見やすく簡単にわかる食品用量りに関するものである。
【背景技術】
【０００２】  量りを使用する場合には、材料を載せるとその重量が針と連動して目盛の数値を指し示し、その数値を読み取ることにより、計量することが可能となる。しかし、数の概念を充分に身につけることができていない知的障害者や子ども等が調理において量りを使用する際、デジタルやアナログの量りでは、重さを識別することができないため量りを使用することができなかった。現在市販されている量りは数値を読み取れる方が利用できるもので、知的障害者が使えるような量りはない。
【考案の開示】
【考案が解決しようとする課題】
【０００３】  障害者が作業において連続した一定の計量を行う場合、数の概念を充分に身につけることができていない障害者には目盛の数値を理解することができない。目盛の数値の読み取りをすることなく、障害者でも簡単に計量できるようにする。
【課題を解決するための手段】
【０００４】  アナログ量りに、目盛を指し示す通常の針（赤色）の他に、目安となる補助針（青色）を設ける。使用する際、まず、計量を行う前に一旦介助者が目安となる青色の補助針を計量すべき数値に調節して設定する。実際の計量作業は、赤色の針と青色の針が重なり合うところで計量の完成と判別する。これにより、数字に頼らずに計量することができる。
【考案の効果】
【０００５】  障害者や子どもにも一定数量の重さを簡単に計れる量りを提供することができる。
【考案を実施するための最良の形態】
【０００６】  通常のアナログ計量器に図１に示すように手動にて設定位置を変えることができる青色の補助針を新しく設ける。計量する場合には最初に介助者が計量したい重さの数値のところに青色の補助針（つまみ）を動かす。次に、利用者が計量台に物を載せ、計量器の赤い針がちょうど青色の針と重なるように計量することで一定の重さのものを簡単に量ることができる。
【図面の簡単な説明】
【０００７】
【図１】  本考案の模式図
【符号の説明】
【０００８】  １  計量用赤色の針
２  一定量計量するための青色の補助針
３  ２の補助針を補佐するつまみ
４  計量台
【図１】
0003121877.tif 000003
(57)【要約】【課題】本考案は、身体障害者が自身の嗜好に合わせた料理を楽しむ為の自立調理台を提供する。【解決手段】本考案の身体障害者自立調理台は、本体１に木材乃至樹脂加工材乃至スチール材を施しなおかつ、調理台上面に流し台４、まな板設置台３、包丁等の落下防止具５、電熱器１３、水入れ容器９、排水容器１０、満水センサー１１、整理棚１４等の機能を備える。その機能を有益にする為に身体障害者用車椅子に合うように調理台脚が上下運動する自在高さ調整加工を施し容易にできる機能を有する身体障害者自立調理台を特徴とする。【選択図】図１
0003121879.tif 000002
【実用新案登録請求の範囲】
【請求項１】
身体障害者、特に車椅子にて活動されている人々が調理を楽しむ為の専用調理台横１０００ｍｍ高さ８００ｍｍ奥行き８００ｍｍを施しなおかつ、その形状態には流し台を設け、更には調理しやすいように一段下げたまないた場を施し、その調理物が転がったり乃至は、ばらついたりしない為の防止対策に食物止め剣山を設けることにより切断しようとする食品等が転がったり、ばらついたりしないように固定して調理が容易にできる機能を有する身体障害者自立調理台。
【請求項２】
前記調理台の中央に刃物等の落下防止に上下運動の金具を設けながら包丁が自在に使える機能にして、その先端部分に伸縮自在紐を装着させ一体化したことを特徴とする請求項１記載の身体障害者自立調理台。
【請求項３】
前記調理台の付帯物としては、水入れ容器、排水容器、満水センサー、整理棚、電熱器等を備えた請求項１記載の身体障害者自立調理台。
【考案の詳細な説明】
【技術分野】
【０００１】  本考案は、身体障害者が自立して調理を楽しむ身体障害者自立調理台に関するものである。
【背景技術】
【０００２】  従来においては、介助士が全面的にその行為を担っているのが主流であり、身体障害者が自立して調理を楽しむことが出来ないのが現況である。
【考案の開示】
【考案が解決しようとする課題】
【０００３】  上記の如く、従来の方法では身体障害者が調理を楽しむ調理台等が無く身体障害者の自立乃至は嗜好の要望に対応できていない。【０００４】  このため、介助士と身障者の嗜好の相違がある場合はトラブルが暫し起こり双方共被害を被っているのが現状である。【０００５】  本考案は、このような点に鑑みて成されたものであり、その目的は、身体障害者自身が調理を楽しみ。なおかつ、安全な調理台を提供することができる様にすることにある。
【課題を解決するための手段】
【０００６】  上記の目的を達成する本考案の身体障害者自立調理台は、本体に木材乃至樹脂加工材乃至スチール材を施しなおかつ、調理台上面部分に流し台、まな板設置台、包丁等の落下防止機能、電熱器、水入れ容器、排水容器、満水センサー、整理棚等の機能を備える。その機能を有益にする為に身体障害者用車椅子に合うように調理台脚が上下運動する自在高さ調整加工を施し容易にできる機能を有する身体障害者自立調理台を特徴とする。【０００７】  一例として、前記身体障害者自立調理台は、形態に特徴があり調理を楽しむには容易にできるなおかつ、刃物類を使用のときは落下防止も付帯しているので直接切刃に触れることも無く利便性に優れているので活用できる。
【考案の効果】
【０００８】  以上説明したように本考案によれば、本体に木材乃至樹脂加工材を施しなおかつ、調理台上面部分に流し台、まな板設置台、包丁等の落下防止機能、電熱器、水入れ容器、排水容器、満水センサー、調理棚等の機能を備えその機能を有益にする為に身体障害者用車椅子に合うように調理台脚が上下運動する自在高さ調整加工を施し容易にできる機能を有する身体障害者自立調理台を備えている。
【考案を実施するための最良の形態】
【０００９】  以下、本考案の実施の形態を図面に基ずき詳細に説明する。【００１０】  図１〜図３は本考案の第１の形態に係り、図１はその姿図、図２はその部材の構造図、図３は断面図である。【００１１】  図１、図２、図３に示すように、身体障害者自立調理台は、本体に形態を有する構造体１に構成される。【００１２】  図１、図２、図３に示すように、１、〜１７、に構成された構造体に内臓したものである。
【実施例】
【００１３】  身体障害者自立調理台は、調理を楽しみながら自身の嗜好に満足感を得ることができる。
【産業上の利用可能性】
【００１４】  本考案は、身体障害者に有用な福祉器具を製造、販売する産業分野で利用することができる。
【図面の簡単な説明】
【００１５】
【図１】本考案の第１の実施の形態に係る身体障害者自立調理台の姿図である。
【図２】図１の身体障害者自立調理台の構造図である。
【図３】図１、図２の断面図である。
【符号の説明】
【００１６】  １、        本体
２、        高さ調整脚
３、        スチール製まな板置き台
４、        流し台
５、        刃物落下防止具
６、        伸縮自在紐
７、        惣菜止め剣山
８、        まな板
９、        水入れ容器
１０、        排水容器
１１、        満水センサー
１２、        漏水バルブ
１３、        電熱器
１４、        整理棚
１５、        身障者自立調理用包丁
１６、        大根（参考図）
１７、        輪切り大根（参考図）
【図１】
0003121879.tif 000003
【図２】
0003121879.tif 000004
【図３】
0003121879.tif 000005